(57)【特許請求の範囲】
【請求項１】
少なくとも上面部が開放された略矩形状の箱体である炭受け部と、パイプ材で構成されており且つ前記炭受け部が取り付けられるフレームとを具備しており、前記フレームは、互いに対向する略ロ字状の一対の第１のフレーム部と、この第１のフレーム部の両側のパイプのうち一方のパイプ同士を連結する下向き凹字状の第２のフレーム部と、第１のフレーム部の両側のパイプのうち他方のパイプ同士を連結する下向き凹字状の第３のフレーム部とを有し、前記炭受け部は両縁部に下向きの受け溝が形成されており、この受け溝に第１のフレーム部の上側のパイプ又は第２及び第３のフレーム部の上側のパイプが嵌まり込むようになっており、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出していることを特徴とするバーベキューグリル。
【請求項２】
少なくとも上面部が開放された略矩形状の箱体である炭受け部と、パイプ材で構成されており且つ前記炭受け部がネジ等の締結手段によって取り付けられるフレームとを具備しており、前記フレームは、互いに対向する略ロ字状の一対の第１のフレーム部と、この第１のフレーム部の両側のパイプのうち一方のパイプ同士を連結する下向き凹字状の第２のフレーム部と、第１のフレーム部の両側のパイプのうち他方のパイプ同士を連結する下向き凹字状の第３のフレーム部とを有し、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出していることを特徴とするバーベキューグリル。
【請求項３】
少なくとも上面部が開放された略矩形状の箱体である炭受け部と、パイプ材で構成されており且つ前記炭受け部が取り付けられるフレームとを具備しており、前記フレームは、互いに対向する略ロ字状の一対の第１のフレーム部と、この第１のフレーム部の両側のパイプのうち一方のパイプ同士を連結する下向き凹字状の第２のフレーム部と、第１のフレーム部の両側のパイプのうち他方のパイプ同士を連結する下向き凹字状の第３のフレーム部と、第１のフレーム部の両側のパイプに掛け渡された長方形状の板材である支持部材とを有し、前記炭受け部は前記支持部材に載置されており、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出していることを特徴とするバーベキューグリル。
【請求項４】
請求項１、２又は３記載のバーベキューグリルにおいて、前記フレームは前記第２及び第３のフレームの両側のパイプに連結される４本の脚部を有することを特徴とするバーベキューグリル。
【請求項５】
請求項１、２、３又は４記載のバーベキューグリルにおいて、前記第２及び第３のフレーム部の両側のパイプの上端部又は第１のフレームの両側のパイプの上端部が炭受け部とは反対方向に向けて湾曲し、これにより当該第２及び第３のフレーム部の上側のパイプ又は第１のフレームの上側のパイプが反対方向に向けて突出していることを特徴とするバーベキューグリル。
【発明の詳細な説明】
【０００１】
【発明の属する技術分野】
本発明は、例えばアウトドア等で使用するバーベキューグリルに関する。
【０００２】
【従来の技術】
従来のこの種のバーベキューグリルは、内側に炭受け部が設けられた本体部と、この本体部に取り付けられる脚部とから構成されている。前記炭受け部は、本体部の底面部及び側面部から離れた状態で本体部の内側にセットされている。これは炭受け部に収納された炭からの熱が本体部の底面部及び側面部に直接伝わらないようにするためである。というのも、本体部には脚部が取り付けられているため、本体部は過熱されると膨張によって変形するため、本体部に取り付けられた脚部の高さ位置が不揃いになり、平地においてもぐらつきが生じるためである。
【０００３】
【発明が解決しようとする課題】
しかしながら、本体部及び炭受け部を構成するのは鉄板であるため、鉄板の使用量が多くなり、コストアップを招来している。また、本体部の熱による膨張による脚部の高さの不揃いがあった。さらに、炭受け部に収納されている炭からの熱によって炭受け部のみならず、本体部にも熱によって鉄板の色が変化する色焼けが生じる。この色焼けは、耐久性を損なうものである。従って、色焼けが生じた本体部及び炭受け部は交換が必要となっていた。
【０００４】
本発明は上記事情に鑑みて創案されたものであって、コストアップの原因となる鉄板を使用量を低減してコストダウンが可能で、過熱による脚部の高さの不揃いが生じることなく、しかも、色焼けによる交換の際のコストを低減するバーベキューグリルを提供することを目的としている。
【０００５】
【課題を解決するための手段】
本発明に係るバーベキューグリルは、少なくとも上面部が開放された略矩形状の箱体である炭受け部と、パイプ材で構成されており且つ前記炭受け部が取り付けられるフレームとを具備しており、前記フレームは、互いに対向する略ロ字状の一対の第１のフレーム部と、この第１のフレーム部の両側のパイプのうち一方のパイプ同士を連結する下向き凹字状の第２のフレーム部と、第１のフレーム部の両側のパイプのうち他方のパイプ同士を連結する下向き凹字状の第３のフレーム部とを有しており、前記炭受け部は両縁部に下向きの受け溝が形成されており、この受け溝に第１のフレーム部の上側のパイプ又は第２及び第３のフレーム部の上側のパイプが嵌まり込むようになっており、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出している。
【０００６】
【発明の実施の形態】
図１は本発明の第１の実施の形態に係るバーベキューグリルの概略的斜視図、図２は本発明の第１の実施の形態に係るバーベキューグリルの脚部を使用しない状態の概略的斜視図、図３は本発明の第１の実施の形態に係るバーベキューグリルのガード部材を取り付けた状態のフレームの概略的斜視図、図４は本発明の第１の実施の形態に係るバーベキューグリルの変形例を示す概略的斜視図、図５は本発明の第２の実施の形態に係るバーベキューグリルの概略的斜視図、図６は本発明の第３の実施の形態に係るバーベキューグリルの概略的斜視図、図７は本発明の第４の実施の形態に係るバーベキューグリルの概略的斜視、図８は本発明の第４の実施の形態に係るバーベキューグリルの概略的斜視、図９は本発明の第５の実施の形態に係るバーベキューグリルの概略的斜視図である。
【０００７】
本発明の第１の実施の形態に係るバーベキューグリルＡは、上面部が開放された炭受け部１００Ａと、この炭受け部１００Ａが取り付けられるフレーム２００Ａとを備えており、前記炭受け部１００Ａは、炭受け部１００Ａの縁部に形成された下向きの受け溝１３２Ａ、１４２Ａにフレーム２００Ａの一部が嵌まり込むことでフレーム２００Ａに取り付けられるように構成されている。
【０００８】
前記炭受け部１００Ａは、鉄板を折曲、溶接して構成されている。かかる炭受け部１００Ａは、水平になった略長方形状の底面部１１０Ａと、この底面部１１０Ａの短縁部から垂直に立設された対向した一対の略逆台形状の側面部１２０Ａと、前記底面部１１０Ａの長縁部から斜め上方向に延びた一対の正面部１３０Ａ及び背面部１４０Ａとを有している。従って、この炭受け部１００Ａは、側面部１２０Ａ側から見ると、略逆台形状になっている。また、この炭受け部１００Ａは、上面部が開放されていることになる。
【０００９】
前記正面部１３０Ａ及び背面部１４０Ａには、２つずつ合計４つの舌片１３１Ａ、１４１Ａが内側に向かって折曲形成されている。この舌片１３１Ａ、１４１Ａは、炭受け部１００Ａに入れられる熱源である木炭を載せる炭受け網（図示省略）を支持する部分である。従って、この舌片１３１Ａ、１４１Ａは、同一水平面に設けられている。
【００１０】
また、この炭受け部１００Ａの正面部１３０Ａ及び背面部１４０Ａの上縁部には、下向きに凹となった受け溝１３２Ａ、１４２Ａが折曲形成されている。この受け溝１３２Ａ、１４２Ａは、後述するフレーム２００Ａを構成する丸パイプの外径より若干小さく設定されているので、フレーム２００Ａに取り付けられた炭受け部１００Ａは、不用意にフレーム２００Ａから外れないようになっている。
【００１１】
さらに、前記側面部１２０Ａには、１つずつの長方形状の開口１２１Ａが開設されている。この開口１２１Ａは、前記舌片１３１Ａ、１４１Ａに支持される炭受け網より下方に位置するようになっている。かかる開口１２１Ａは、炭受け網に載せられた木炭に下方からの空気を導入する部分である。
【００１２】
この炭受け部１００Ａの開放された上面部には、必要に応じてバーベキュー用の焼き網（図示省略）や鉄板（図示省略）が載置されるようになっている。
【００１３】
一方、前記フレーム２００Ａは、丸パイプから構成されており、前記炭受け部１００Ａの一対の側面部１２０Ａに対応する略ロ字状の一対の第１フレーム部２１０Ａと、前記正面部１３０Ａ及び背面部１４０Ａに対応する下向きの略凹字形状の一対の第２フレーム部２２０Ａ( 即ち、第２及び第３のフレーム部) と、前記第２フレーム部２２０Ａから垂下された４本の脚部２３０Ａとを有している。
【００１４】
前記第１フレーム部２１０Ａの高さ寸法は、炭受け部１００Ａの高さ寸法より大きく設定されている。従って、フレーム２００Ａに取り付けられた炭受け部１００Ａの底面部１１０Ａは、第１フレーム部２１０Ａの下縁部２１３より上方に位置していることになる。
【００１５】
前記第２フレーム部２２０Ａは、水平な上縁部２２１Ａと、この上縁部２２１Ａの両縁部を下方に折曲形成した垂下部２２２Ａとからなり、全体として下向きの略凹字形状に形成されている。また、前記上縁部２２１Ａは、炭受け部１００Ａの正面部１３０Ａ及び背面部１４０Ａの長さ寸法と略同一になっている。この上縁部２２１Ａは、炭受け部１００Ａの受け溝１３２Ａ、１４２Ａが嵌まり込む部分である。
【００１６】
また、この第２フレーム部２２０Ａの高さ寸法は、炭受け部１００Ａの高さ寸法より大きく設定されている。従って、フレーム２００Ａに取り付けられた炭受け部１００Ａの底面部１１０Ａは、第２フレーム部２２０Ａの垂下部２２２Ａの下端より上方に位置している。
【００１７】
前記第１フレーム部２１０Ａは、第２フレーム２２０Ａの垂下部２２２Ａとネジ止め等の適宜な手段によって連結されている。すなわち、図１に示すように、第１フレーム部２１０Ａの垂下部２１２Ａと、第２フレーム部２２０Ａの垂下部２２２Ａとをネジ止めすることによって連結されているのである。
【００１８】
また、前記第１フレーム２１０Ａの垂下部２１２Ａには、平板状のガード部材３００Ａが掛け渡されている。このガード部材３００Ａは、木炭によって加熱された炭受け部１００Ａの正面部１３０Ａ及び背面部１４０Ａに手や脚等が接触しないように、炭受け部１００Ａをガードするものである。具体的には、図１及び図３等に示すように、第１フレーム部２１０Ａの垂下部２１２Ａの間に掛け渡されるのである。
【００１９】
さらに、前記脚部２３０Ａは、先端、すなわち地面に接する部分に合成樹脂等からなる石突き２３１Ａが取り付けられている。この脚部２３０Ａは、１本の丸パイプで構成されている。かかる脚部２３０Ａは、第２フレーム２２０Ａの垂下部２１２Ａの下端に差し込まれることによってフレーム２００Ａに取り付けられる。
【００２０】
上述した炭受け部１００Ａとフレーム２００Ａとから構成されるバーベキューグリルＡは、図１に示すように、脚部２３０Ａを付けた状態で使用することも、図２に示すように、脚部２３０Ａを取り付けない状態で使用することも可能である。脚部２３０Ａを取り付けた状態では、ユーザーが立った状態で、脚部２３０Ａを取り付けない状態では、図外のテーブルの上に載せた状態で使用する。すなわち、炭受け部１００Ａの底面部１１０Ａは、第１フレーム部２１０Ａの下縁部２１３Ａより上方に位置し、かつ第２フレーム部２２０Ａの垂下部２２２Ａの下端より上方に位置しているため、脚部２３０Ａを取り付けない状態のフレーム２００Ａに取り付けられても、底面部１１０Ａは載置される図外のテーブルの天板との間には隙間が形成されるため、炭受け部１００Ａの熱が直接には前記天板には伝わらないようになっているのである。
【００２１】
なお、上述した第１の実施の形態では、ガード部材３００Ａは、炭受け部１００Ａの正面部１３０Ａ及び側面部１４０Ａに沿って設けられているが、図３に示すように、一対の側面部１２０Ａに沿って設けることも可能である。また、炭受け部１００Ａの正面部１３０Ａ及び背面部１４０Ａに沿ったガード部材と、炭受け部１００Ａの一対の側面部１２０Ａに沿ったガード部材とを設けることも可能である。
【００２２】
また、本発明の第２の実施の形態に係るバーベキューグリルＢは、図５に示すように、上面部が開放された炭受け部１００Ｂと、この炭受け部１００Ｂが取り付けられるフレーム２００Ｂとを備えており、前記炭受け部１００Ｂは、締結手段であるネジ２４０Ｂによってフレーム２００Ｂに取り付けられるようになっている。
【００２３】
この第２の実施の形態に係るバーベキューグリルＢにおける炭受け部１００Ｂは、上述した第１の実施の形態に係るバーベキューグリルＡにおける炭受け部１００Ａと略同一であるが、炭受け部１００Ｂの縁部には下向きの受け溝１３２Ａ、１４２Ａではなく、フレーム２００Ｂの第２フレーム２２０Ｂの上縁部２２１Ｂに載置される水平に折曲された折曲縁部１５０Ｂが形成されている点が異なっている。この折曲縁部１５０Ｂには、炭受け部１００Ｂをフレーム２００Ｂに取り付けるための締結手段であるネジ２４０Ｂが差し込まれるネジ孔（図示省略）が開設されている。
【００２４】
また、この第２の実施の形態に係るバーベキューグリルＢにおけるフレーム２００Ｂは、上述した第１の実施の形態に係るバーベキューグリルＡにおけるフレーム２００Ａと略同一であるが、炭受け部１００Ｂを取り付けるための締結手段であるネジ２４０Ｂが差し込まれるネジ孔（図示省略）が第２フレーム２２０Ｂの上縁部２２１Ｂに開設されている点のみが異なっている。
【００２５】
すなわち、この第２の実施の形態に係るバーベキューグリルＢでは、炭受け部１００Ｂは、バーベキューグリルＡのように受け溝１３２Ａ、１４２Ａではなく、折曲縁部１５０Ｂに載せられた状態でネジ２４０Ｂによってフレーム２００Ｂに取り付けられるのである。
【００２６】
さらに、本発明の第３の実施の形態に係るバーベキューグリルＣは、図６に示すように、上面部が開放された炭受け部１００Ｃと、この炭受け部１００Ｃが取り付けられるフレーム２００Ｃとを備えており、前記炭受け部１００Ｃは、フレーム２００Ｃに設けられた支持部材２５０Ｃによって下方から支えられることでフレーム２００Ｃに取り付けられるようになっている。
【００２７】
この第３の実施の形態に係るバーベキューグリルＣにおける炭受け部１００Ｃは、上述した第１の実施の形態に係るバーベキューグリルＡにおける炭受け部１００Ａと略同一であるが、フレーム２００Ｃに取り付けるための受け溝１３２Ａ、１４２Ａがない点が異なっている。
【００２８】
また、この第３の実施の形態に係るバーベキューグリルＣにおけるフレーム２００Ｃは、上述した第１の実施の形態に係るバーベキューグリルＡにおけるフレーム２００Ａと略同一であるが、炭受け部１００Ｃを取り付けるための支持部材２５０Ｃが設けられている点が相違する。
【００２９】
すなわち、前記支持部材２５０Ｃは、対向する一対の第１フレーム２１０Ｃの垂下部２１２Ｃに掛け渡された長方形状の板材である。この支持部材２５０Ｃは、短縁部が立ち上がって折曲縁部２５１Ｃとされており、この折曲縁部２５１Ｃに開設されたネジ孔（図示省略）と、第１フレーム２１０Ｃの垂下部２１２Ｃに開設されたネジ孔（図示省略）とにネジ（図示省略）を挿通させることによって、フレーム２００Ｃに取り付けられるようになっている。
【００３０】
なお、上述した３つの実施の形態に係るバーベキューグリルＡ〜Ｃでは、フレーム１００Ａ〜１００Ｃにガード部材３００Ａ〜３００Ｃが設けられていたが、このガード部材３００Ａ〜３００Ｃを設けないことも可能である。
【００３１】
また、図７及び図８に示すように、フレーム２００Ｄ〜２００Ｇの一部を外側に折曲形成することによって、把手やガード部材の代用として利用することも可能である。
【００３２】
図７（Ａ）に示すバーベキューグリルＤの場合には、第１フレーム２１０Ｄの上縁部２１１Ｄと下縁部２１３Ｂとを外側に折曲形成して両者を把手等として利用するようにしている。また、図７（Ｂ）に示すバーベキューグリルＥの場合には、第１フレーム２１０Ｅの上縁部２１１Ｅを外側に折曲形成して把手等として利用するようにしている。
【００３３】
さらに、図８（Ａ）に示すバーベキューグリルＦの場合には、第１フレーム２１０Ｆを下向きの略凹字形状に形成し、その第１フレーム２１０Ｆの上縁部２１１Ｆを外側に折曲形成して把手等として利用するようにしている。この場合、第２フレーム２２０Ｆは、横長のロ字形状に形成されているため、脚部２３０Ｆは、第１フレーム２１０Ｆの垂下部２１２Ｆに連結するようになっている。
【００３４】
また、図８（Ｂ）に示すバーベキューグリルＧの場合には、第１フレーム２１０Ｇを下向きの略凹字形状に形成し、その第１フレーム２１０Ｇの上縁部２１１Ｇを外側に折曲形成するとともに、第２フレーム２２０Ｇの下縁部２２３Ｇを外側に折曲形成して両者を把手として利用するようにしている。この場合、第２フレーム２２０Ｇは、横長のロ字形状に形成されているため、脚部２３０Ｇは、第１フレーム２１０Ｇの垂下部２１２Ｇに連結するようになっている。
【００３５】
さらに、上述したように、第１の実施の形態に係るバーベキューグリルＡ等のように、フレーム２００Ａ等を第１フレーム２１０Ａ等と第２フレーム２２０Ａ等とから構成することなく、図９（Ａ）に示すように、一対の下向きの略凹字形状の凹字部材２６０Ｈと、この凹字部材２６０Ｈを連結する一対のガード部材３００Ｈとから構成することも可能である。この場合には、脚部２３０Ｈは、凹字部材２６０Ｈの下端に連結することになる。
【００３６】
また、図９（Ｂ）に示すように、脚部２３０Ｉの下端を連結部材２３２Ｈで連結して構成することも可能である。
【００３７】
【発明の効果】
本発明に係る請求項１のバーベキューグリルは、少なくとも上面部が開放された略矩形状の箱体である炭受け部と、パイプ材で構成されており且つ前記炭受け部が取り付けられるフレームとを具備しており、前記フレームは、互いに対向する略ロ字状の一対の第１のフレーム部と、この第１のフレーム部の両側のパイプのうち一方のパイプ同士を連結する下向き凹字状の第２のフレーム部と、第１のフレーム部の両側のパイプのうち他方のパイプ同士を連結する下向き凹字状の第３のフレーム部とを有しており、前記炭受け部は両縁部に下向きの受け溝が形成されており、この受け溝に第１のフレーム部の上側のパイプ又は第２及び第３のフレーム部の上側のパイプが嵌まり込むようになっており、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出している。
【００３８】
従って、従来のように炭受け部の外側に設けられる鉄板からなる本体部を省略することができるので、コストダウンを図ることができる。また、炭受け部からちの熱はフレームひいては脚部に伝わりにくいため、熱による膨張が少ない。このため、脚部の高さの不揃いを是正するための高さ調整機構を省略することができ、コストダウンを図ることができる。しかも、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出しているので、木炭によって加熱された炭受け部に手や脚等が接触し、火傷することを防止することができ、その結果として安全性を高めることができる。
【００３９】
また、本発明に係る請求項２のバーベキューグリルは、少なくとも上面部が開放された略矩形状の箱体である炭受け部と、パイプ材で構成されており且つ前記炭受け部がネジ等の締結手段によって取り付けられるフレームとを具備しており、前記フレームは、互いに対向する略ロ字状の一対の第１のフレーム部と、この第１のフレーム部の両側のパイプのうち一方のパイプ同士を連結する下向き凹字状の第２のフレーム部と、第１のフレーム部の両側のパイプのうち他方のパイプ同士を連結する下向き凹字状の第３のフレーム部とを有し、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出している。また、本発明に係る請求項３のバーベキューグリルは、少なくとも上面部が開放された略矩形状の箱体である炭受け部と、パイプ材で構成されており且つ前記炭受け部が取り付けられるフレームとを具備しており、前記フレームは、互いに対向する略ロ字状の一対の第１のフレーム部と、この第１のフレーム部の両側のパイプのうち一方のパイプ同士を連結する下向き凹字状の第２のフレーム部と、第１のフレーム部の両側のパイプのうち他方のパイプ同士を連結する下向き凹字状の第３のフレーム部と、第１のフレーム部の両側のパイプに掛け渡された長方形状の板材である支持部材とを有し、前記炭受け部は前記支持部材に載置されており、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出している。
【００４０】
このバーベキューグリルによる場合であっても、従来のように炭受け部の外側に設けられる鉄板からなる本体部を省略することができるので、コストダウンを図ることができる。また、炭受け部からの熱はフレームひいては脚部に伝わりにくいため、熱による膨張が少ない。このため、脚部の高さの不揃いが生じにくい。また、炭の熱に起因する色焼けが生じても、炭受け部のみを交換すればよいので、炭受け部のみならず本体部まで交換の必要があった従来のものより、交換に要するコストを低減することができる。
【００４１】
しかも、第１のフレーム部及び／又は第２、第３のフレーム部の両側のパイプには当該炭受け部の側面をガードする平板状のガード部材が設けられている一方、第１のフレーム部の両側のパイプの下端部が炭受け部とは反対の方向に向けて湾曲し、これにより当該第１のフレーム部の下側のパイプが炭受け部とは反対の方向に向けて突出しているので、木炭によって加熱された炭受け部に手や脚等が接触し、火傷することを防止することができ、その結果として安全性を高めることができる。
【００４２】
前記フレームは、前記第２及び第３のフレームの両側のパイプに連結される４本の脚部を有している。このため、脚部を第２及び第３の両側のパイプから着脱することにより、バーベキューグリルの高さを調節することができるので、使い勝手が良くなる。
【００４３】
前記第２及び第３のフレーム部の両側のパイプの上端部又は第１のフレームの両側のパイプの上端部が炭受け部とは反対方向に向けて湾曲し、これにより当該第２及び第３のフレーム部の上側のパイプ又は第１のフレームの上側のパイプが反対方向に向けて突出している。よって、当該上側のパイプを把手とすることができるので、バーベキューグリルを組み立てた状態で持ち運ぶのに便利である。
【図面の簡単な説明】
【図１】本発明の第１の実施の形態に係るバーベキューグリルの概略的斜視図である。
【図２】本発明の第１の実施の形態に係るバーベキューグリルの脚部を使用しない状態の概略的斜視図である。
【図３】本発明の第１の実施の形態に係るバーベキューグリルのガード部材を取り付けた状態のフレームの概略的斜視図である。
【図４】本発明の第１の実施の形態に係るバーベキューグリルの変形例を示す概略的斜視図である。
【図５】本発明の第２の実施の形態に係るバーベキューグリルの概略的斜視図である。
【図６】本発明の第３の実施の形態に係るバーベキューグリルの概略的斜視図である。
【図７】本発明の第４の実施の形態に係るバーベキューグリルの概略的斜視である。
【図８】本発明の第４の実施の形態に係るバーベキューグリルの概略的斜視である。
【図９】本発明の第５の実施の形態に係るバーベキューグリルの概略的斜視図である。
【符号の説明】
１００Ａ  炭受け部
１３２Ａ  受け溝
１４２Ａ  受け溝
２００Ａ  フレーム
３００Ａ  ガード部材
【図１】
0003577294.tif 000002
【図２】
0003577294.tif 000003
【図３】
0003577294.tif 000004
【図４】
0003577294.tif 000005
【図５】
0003577294.tif 000006
【図６】
0003577294.tif 000007
【図７】
0003577294.tif 000008
【図８】
0003577294.tif 000009
【図９】
0003577294.tif 000010